(57)【要約】【課題】  内容器をシンプルな構造とするとともに、内容器が容器本体から脱落しないように固定可能なレフィル容器を提供すること。【解決手段】  内容物を収納する内容器Ａと、口筒部ｋから内容器Ａを格納する容器本体Ｂと、容器本体Ｂ内を密封するキャップＤとを備えるレフィル容器であって、内容器Ａは、開口ｆから外方に向けて延出する少なくとも１つのツバ部４を有し、容器本体Ｂは、口筒部ｋに形成され、内容器Ａのツバ部４を収容する嵌合部１７ａと、嵌合部１７ａに収容されるツバ部４を保持し、容器本体Ｂの口筒部ｋに回転可能に装着される回転体Ｃとを有し、回転体Ｃは、ツバ部４を通過させて内容器Ａを容器本体Ｂから取り替え可能とする切り欠き部２２が形成されるリング壁２０を有することを特徴とする。【選択図】  図１
2019151340.tif 000002
【特許請求の範囲】
【請求項１】
内容物を収納する内容器と、口筒部から内容器を格納する容器本体と、容器本体内を密封するキャップとを備えるレフィル容器であって、
内容器は、開口から外方に向けて延出する少なくとも１つのツバ部を有し、
容器本体は、口筒部に形成され、内容器のツバ部を収容する嵌合部と、嵌合部に収容されるツバ部を保持し、容器本体の口筒部に回転可能に装着される回転体とを有し、
回転体は、ツバ部を通過させて内容器を容器本体から取り替え可能とする切り欠き部が形成されるリング壁を有することを特徴とするレフィル容器。
【請求項２】
内容器は、内容物を収容する容器部と、容器部の開口から外方に向けて延出するフランジと、フランジの外縁から垂設する外筒とを有し、
ツバ部は、外筒から延出することを特徴とする請求項１に記載のレフィル容器。
【請求項３】
容器本体の口筒部または回転体のいずれか一方に形成される回転規制凹部と、いずれか他方に形成され、回転規制凹部と係合して容器本体に対する回転体の回転を規制する固定部とを有し、
回転体は、容器本体に対して、リング壁の切り欠き部と内容器のツバ部が合致するロック状態解除位置と、リング壁がツバ部を覆うロック状態位置との２位置に固定されることを特徴とする請求項１または２に記載のレフィル容器。
【請求項４】
回転規制凹部は、両側の側端面と、側端面の間に２個所の係止突部とを有し、
固定部は、係止突部を乗り越え可能な中央突部と、中央突部の両側に配置され、側端面に当接する側突部とを有することを特徴とする請求項３に記載のレフィル容器。
【請求項５】
内容器の少なくともツバ部と、容器本体の少なくとも口筒部とは、互いに色が異なることを特徴とする請求項１〜４のいずれかに記載のレフィル容器。
【発明の詳細な説明】
【技術分野】
【０００１】
本発明は、内容物が収納された内容器を容器本体内に格納するレフィル容器に関し、とくに、内容器をシンプルな構造としたレフィル容器に関するものである。
【背景技術】
【０００２】
従来から、クリーム等の内容物が収納された内容器と、内容器を格納する外容器とを備えるレフィル容器が知られている。
この内容器は、容器本体に対して出し入れ可能なレフィルとよばれるものであり、内容物を全て使用した後に、消費者によって容器本体内に格納された内容器を取り外し、内容物が充填された新たな内容器に交換することで、外容器の再利用が図られる。
そこで、内容器は、容器本体に対して簡単に交換できるとともに、格納された内容器が容器本体から脱落しないように確実に固定する必要がある。
【０００３】
この課題に対して、内容物を収納する内装体（内容器）と、この内装体を上端開放部を通して収納、保持する外装体（容器本体）と、該内装体の開口部に着脱自在に装着され、該内装体を密封保持する蓋体とを備えたレフィル容器において、前記内装体は、その外周壁に、該内装体の径方向外側に向けて延出する少なくとも１つの横リブを有し、前記外装体は、上端開放部の端面に、該内装体の横リブを落とし入れて該内装体の、該外装体に対する回転を阻止する切欠き凹部を有し、該外装体に、該切欠き凹部に落とし入れた横リブの直上に位置してその横リブを抜け出し不能に保持するリングを備えるとともに、該外装体の周りに沿う時計周り、反時計周りの回動を可能とする肩カバーを設け、該肩カバーのリングは、その少なくとも内端部分に、該切欠き凹部に合致させる肩カバーの回動にて、該横リブを通過させて該内装体を、該外装体から抜き取るとともに新規な内装体への付替えを可能とする切欠き部を有するレフィル容器が知られている（例えば、特許文献１参照）。  
【先行技術文献】
【特許文献】
【０００４】
【特許文献１】特開２０１６−１１１３０号公報
【発明の概要】
【発明が解決しようとする課題】
【０００５】
しかしながら、上記特許文献１記載のレフィル容器では、内容物を収納する内装体（内容器）の周壁および底壁が肉厚で、全体の形状も複雑であるので、成形に要するコストが高くなるという問題があった。
【０００６】
本発明は、上記問題を解決することを課題とし、内容器をシンプルな構造とするとともに、内容器が容器本体から脱落しないように固定可能なレフィル容器を提供することを目的とする。
【課題を解決するための手段】
【０００７】
本発明は、上記の課題を解決するため、レフィル容器として、内容物を収納する内容器と、口筒部から内容器を格納する容器本体と、容器本体内を密封するキャップとを備えるレフィル容器であって、内容器は、開口から外方に向けて延出する少なくとも１つのツバ部を有し、容器本体は、口筒部に形成され、内容器のツバ部を収容する嵌合部と、嵌合部に収容されるツバ部を保持し、容器本体の口筒部に回転可能に装着される回転体とを有し、回転体は、ツバ部を通過させて内容器を容器本体から取り替え可能とする切り欠き部が形成されるリング壁を有することを特徴とする構成を採用する。
【０００８】
内容器の具体的実施形態として、内容器は、内容物を収容する容器部と、容器部の開口から外方に向けて延出するフランジと、フランジの外縁から垂設する外筒とを有し、ツバ部は、外筒から延出することを特徴とする構成を採用する。
【０００９】
容器本体および回転体の具体的実施形態として、容器本体の口筒部または回転体のいずれか一方に形成される回転規制凹部と、いずれか他方に形成され、回転規制凹部と係合して容器本体に対する回転体の回転を規制する固定部とを有し、回転体は、容器本体に対して、リング壁の切り欠き部と内容器のツバ部が合致するロック状態解除位置と、リング壁がツバ部を覆うロック状態位置との２位置に固定されることを特徴とする構成を採用し、また、回転規制凹部は、両側の側端面と、側端面の間に２個所の係止突部とを有し、固定部は、係止突部を乗り越え可能な中央突部と、中央突部の両側に配置され、側端面に当接する側突部とを有することを特徴とする構成を採用する。
さらに、内容器および容器本体の具体的実施形態として、内容器の少なくともツバ部と、容器本体の少なくとも口筒部とは、互いに色が異なることを特徴とする構成を採用する。
【発明の効果】
【００１０】
本発明のレフィル容器では、内容器は、開口から外方に向けて延出する少なくとも１つのツバ部を有し、容器本体の口筒部には、回転可能に装着される回転体を有し、回転体は、ツバ部を通過させて内容器を容器本体から取り替え可能とする切り欠き部が形成されるリング壁を有することにより、内容器は、アンダーカット部等の固定手段を必要としないシンプルな構造とすることができ、このため、内容器の成形コストを抑制することができる。
【００１１】
また、本発明のレフィル容器は、内容器の少なくともツバ部と、容器本体の少なくとも口筒部とが互いに色が異なることにより、内容器がロック状態のときは、回転体の切り欠き部から容器本体が見え、ロック状態であることを視認でき、また、ロック解除状態のときは、回転体の切り欠き部から内容器のツバ部が見え、ロック解除状態であることを視認できる。
【図面の簡単な説明】
【００１２】
【図１】本発明のレフィル容器の実施例を示す図であり、（ａ）は一部断面側面図、（ｂ）は（ａ）のＸ−Ｘ線における断面上視図である。
【図２】図１のレフィル容器の開蓋後の内容器ロック時を示す図であり、（ａ）は上面図、（ｂ）は一部断面側面図である。
【図３】図２のレフィル容器の要部を示す図であり、（ａ）は図２（ａ）のＹ−Ｙ線における断面矢視図、（ｂ）は図２（ｂ）の要部拡大図である。
【図４】レフィル容器の内容器を示す図であり、（ａ）は上面図、（ｂ）は一部断面側面図である。
【図５】レフィル容器の容器本体を示す図であり、（ａ）は上面図、（ｂ）は一部断面側面図である。
【図６】レフィル容器の回転体を示す図であり、（ａ）は上面図、（ｂ）は断面側面図である。
【図７】レフィル容器の内容器ロック解除時を示す図であり、（ａ）は上面図、（ｂ）は一部断面側面図である。
【図８】図７のレフィル容器の要部を示す図であり、（ａ）は図７（ａ）のＺ−Ｚ線における断面矢視図、（ｂ）は図７（ｂ）の要部拡大図である。
【発明を実施するための形態】
【００１３】
次に、本発明のレフィル容器について、実施例を示した図面を参照して説明する。
【実施例】
【００１４】
図１において、Ａは内容物を収納する内容器、Ｂは口筒部ｋから内容器Ａを取り替え可能に格納する容器本体、Ｃは内容器Ａを容器本体Ｂに対して固定・解除する回転体、Ｄは容器本体Ｂ内を密封するキャップである。
【００１５】
内容器Ａは、図１〜４に示すように、内容物を収納する有底の円筒状の容器部１と、容器部１の開口ｆから径方向外方に向けて形成される上面視でリング状のフランジ２と、フランジ２の外縁から垂設される外筒３とから構成されている。
外筒３は、外周下端の少なくとも１個所（本実施例では、対向位置に２個所）から径方向外方に向けてツバ部４が延設されている。 
【００１６】
容器本体Ｂは、図１〜３および図５に示すように、円板状の底壁５と、底壁５の外縁から立設される円筒状の外周壁６とから構成されている。
外周壁６の上部は、外周から縮径されることにより、口筒部ｋを形成しており、下端部の環状の下部上面７と、下部上面７の内縁から上方に延びるとともに外面がキャップＤの内周面と係合する下部外周面８と、下部外周面８上端から縮径される環状の中部上面９と、中部上面９の内縁から上方に延びるとともに外面が回転体Ｃの内周面と係合する中部外周面１０と、中部外周面１０上端から縮径される環状の上部上面１１と、上部上面１１の内縁から上端まで延びるとともに外面が内容器Ａの外筒３内面に係合する上部外周面１２とを備えている。
下部外周面８には、キャップＤを装着するねじ１３が形成されている。
【００１７】
口筒部ｋの一部である中部外周面１０の上部には、拡径する係合突部１４が突設され、係合突部１４の所定の個所（本実施例では、対向位置に２個所）には、外周から切り欠かれ、両側に側端面１５ａ、１５ｂを形成した回転規制凹部１５が凹設されている。
回転規制凹部１５の切り欠かれた周面には、所定の２個所に係止突部１６ａ、１６ｂが突設されている。
【００１８】
口筒部ｋの一部である上部上面１１には、内側に内容器Ａの外筒３の下端部およびツバ部４の下部と係合する係止凹部１７が凹設され、係止凹部１７のうち、ツバ部４の下面および側面を収容する個所は、嵌合部１７ａとなっている。
【００１９】
回転体Ｃは、図１〜３および図６に示すように、容器本体Ｂの上部上面１１に載置されるリング壁２０と、リング壁２０の外縁から垂設される外周筒２１とから構成されている。
リング壁２０は、内周縁が内容器Ａの外筒３の外周に沿うように、外筒３の外周よりやや大きい径で形成され、さらに、内周縁からは、内容器Ａのツバ部４の形状よりやや大きな形状で切り欠き部２２がツバ部４と対応する位置に形成されている。
【００２０】
外周筒２１は、内周下部に、容器本体Ｂへの装着時に、上端面が中部外周面１０の係合突部１４の下面に当接する係止部２３が突設され、さらに、係止部２３より上方には、装着時に容器本体Ｂの口筒部ｋに設けられた回転規制凹部１５と係合し、回転体Ｃの容器本体Ｂに対する回転を規制する固定部２４が配設されている。
【００２１】
固定部２４は、係止突部１６ａおよび１６ｂに当接するとともに、少なくとも先端部が弾性変形可能で、係止突部１６ａおよび１６ｂを乗り越え可能な中央突部２４ａと、その左右に配設され、それぞれの外側が回転規制凹部１５の側端面１５ａまたは１５ｂに当接する側突部２４ｂ、２４ｃとを備えている。
なお、本実施例では、容器本体Ｂの口筒部ｋに回転規制凹部１５が設けられ、回転体Ｃの外周筒２１に固定部２４が設けられているが、容器本体Ｂの口筒部ｋまたは回転体Ｃの外周筒２１のいずれか一方に回転規制凹部１５が設けられ、いずれか他方に固定部２４が設けられていればよい。
【００２２】
キャップＤは、図１に示すように、円板状の頂壁２５と、頂壁２５の外周縁から垂設される側周壁２６とから構成され、側周壁２６の内周には、容器本体Ｂの口筒部ｋに形成されたねじ１３と螺合するねじ２７が形成されている。
頂壁２５の下面には、パッキンＰが装着され、キャップＤによって容器本体Ｂが閉蓋された際に、パッキンＰは、内容器Ａのフランジ２上面と密着して内容器Ａ内を密封する。
なお、本実施例では、キャップＤは、容器本体Ｂの口筒部ｋに形成されたねじ１３と螺合するねじキャップとしているが、ねじキャップに限らず、アンダーカット嵌合するタイプのキャップであっても構わない。
【００２３】
次に、本実施例の使用態様と作用効果について説明する。
本実施例のレフィル容器は、図１、２に示すように、内容物が収納された内容器Ａを容器本体Ｂの口筒部ｋに装着する際に、内容器Ａの容器部１の外周面、フランジ２の下面、外筒３の内周面が、容器本体Ｂの口筒部ｋに係合するとともに、外筒３の下端部およびツバ部４が、口筒部ｋに形成された上部上面１１の係止凹部１７に係合し、内容器Ａが容器本体Ｂ内に格納される。
【００２４】
その後、回転体Ｃを容器本体Ｂに装着するには、リング壁２０の切り欠き部２２が内容器Ａのツバ部４に対応する位置（図７（ａ）に示す位置）となるように、回転体Ｃを容器本体Ｂの上方から押圧することにより、回転体Ｃの係止部２３が容器本体Ｂの係合突部１４を乗り越え、係止部２３の上端面が係合突部１４の下面と係合し、回転体Ｃが容器本体Ｂに対して着脱不能かつ回転可能に装着される。
【００２５】
内容器Ａを容器本体Ｂから脱落しないようにロック状態とするには、図７（ａ）に示す状態から回転体Ｃを把持し、容器本体Ｂに対して時計回りに回動すると、図２、３に示すように、ツバ部４の上面に回転体Ｃのリング壁２０の切り欠き部２２が形成されていない部分が位置することにより、内容器Ａのツバ部４の上面に回転体Ｃのリング壁２０の下面が当接するとともに、ツバ部４が係止凹部１７の嵌合部１７ａに嵌合し、内容器Ａが容器本体Ｂに対して回転および上下動しないように固定される。
これと同時に、回転体Ｃの固定部２４の中央突部２４ａが容器本体Ｂの回転規制凹部１５の係止突部１６ａを乗り越え、クリック感を誘発して係合するとともに、側突部２４ｂの外側が側端面１５ａに当接することにより、回転体Ｃが容器本体Ｂに対して自由に回転しないように固定される。
【００２６】
次に、内容器のロック状態を解除するには、図２、３に示す状態から、回転体Ｃを把持し、容器本体Ｂに対して反時計回りに力を掛け、回転体Ｃの固定部２４の中央突部２４ａが容器本体Ｂの回転規制凹部１５の係止突部１６ａを乗り越えるように回動させる。
【００２７】
さらに、回転体Ｃを回動すると、図７に示すように、回転体Ｃの固定部２４の中央突部２４ａが容器本体Ｂの回転規制凹部１５の係止突部１６ｂを乗り越え、クリック感を誘発して係合するとともに、側突部２４ｃの外側が側端面１５ｂに当接することにより、回転体Ｃが容器本体Ｂに対して自由に回転しないように固定される。
【００２８】
これと同時に、図７、８に示すように、ツバ部４に対応する位置に回転体Ｃのリング壁２０の切り欠き部２２が位置決めされるので、内容器Ａのツバ部４の上面と回転体Ｃのリング壁２０との当接が外され、内容器Ａを容器本体Ｂから簡単に取り出すことができる。
【００２９】
本実施例のレフィル容器は、ロック状態を解除した時に、内容物使用後の内容器Ａを取り出し、内容物を充填した新しい内容器Ａを容器本体Ｂにセットし、再度、内容器Ａをロック状態にして使用できるので、レフィル容器として繰り返して使用することができる。
【００３０】
さらに、本実施例のレフィル容器は、回転体Ｃを上方から見て、リング壁２０の切り欠き部２２を通して、ロック状態の時には、図２（ａ）、３（ａ）に示すように、容器本体Ｂの口筒部ｋに形成された上部上面１１が見え、ロック状態が解除された時には、図７（ａ）、８（ａ）に示すように、内容器Ａのツバ部４が見えるので、内容器Ａと容器本体Ｂの互いの色を変えるか、少なくともツバ部４と、ロック状態のときに見える口筒部ｋの色を互いに変えることにより、容器本体Ｂに対する内容器Ａのロック状態を回転体Ｃの上方から視認して簡単に確認することができる。
また、ツバ部４の上面に「ロック解除」と文字で表示するとともに、ロック状態のときに切り欠き部２２から見える容器本体Ｂの口筒部ｋに「ロック状態」と文字で表示することにより、内容器Ａのロック状態を視認するようにしても構わない。
【産業上の利用可能性】
【００３１】
本発明のレフィル容器は、回転体を回動させるだけで内容器の容器本体に対するロック状態を変更することができるので、内容器を簡単に取り替えることができ、また、ロック状態を回転体の上方から容易に視認することができるので、容器本体を再使用するレフィル容器として広く利用可能である。
【符号の説明】
【００３２】
Ａ            内容器
Ｂ            容器本体
Ｃ            回転体
Ｄ            キャップ
ｆ            開口
ｋ            口筒部
Ｐ            パッキン
１            容器部
２            フランジ
３            外筒
４            ツバ部
５            底壁
６            外周壁
７            下部上面
８            下部外周面
９            中部上面
１０            中部外周面
１１            上部上面
１２            上部外周面
１３、２７      ねじ
１４            係合突部
１５            回転規制凹部
１５ａ、１５ｂ  側端面
１６ａ、１６ｂ  係止突部
１７            係止凹部
１７ａ          嵌合部
２０            リング壁
２１            外周筒
２２            切り欠き部
２３            係止部
２４            固定部
２４ａ          中央突部
２４ｂ、２４ｃ  側突部
２５            頂壁
２６            側周壁
【図１】
2019151340.tif 000003
【図２】
2019151340.tif 000004
【図３】
2019151340.tif 000005
【図４】
2019151340.tif 000006
【図５】
2019151340.tif 000007
【図６】
2019151340.tif 000008
【図７】
2019151340.tif 000009
【図８】
2019151340.tif 000010